(57)【要約】【課題】入浴前後の入浴者の出入りをより円滑に行えるようにする。【解決手段】シェル３のスライド扉１３は、閉状態では頂部１５から下り傾斜のスライドにより出入り口１６を閉塞して、その自重をかけた状態で確実に出入り口１６を閉塞する。開状態では、頂部１５から他方側に向かう下り傾斜のスライドにより出入り口１６を開放し、その自重をかけた状態で出入り口１６の側へ戻らず確実に出入り口１６を開放しておくことができる。この開閉時のスライドは何れも下り傾斜のスライドを経て行われることから、誰でも軽い操作でスライド扉１３の開閉を行うことができ、大きな出入り口１６を通じて楽に出入りすることができる。【選択図】図１
2009000140.tif 000002
【特許請求の範囲】
【請求項１】
長方形状の岩盤浴床を包囲するように取付けられ、岩盤浴床に横たわる入浴者を内部に収容する岩盤浴用シェルにおいて、
岩盤浴床の長手方向に沿って岩盤浴床の側面を覆う一対の側面部と、岩盤浴床の長手方向に沿って岩盤浴床の上方を覆うドーム状の湾曲面部とを備えており、
湾曲面部は、その長手方向における一端から頂部側にかけて大きく開口する入浴者の出入り口と、閉状態では前記頂部から前記一端側に向かう下り傾斜のスライドにより出入り口を閉塞し、開状態では前記頂部から湾曲面部の他端側に向かう下り傾斜のスライドにより出入り口を開放するスライド扉とを備えることを特徴とする岩盤浴用シェル。
【請求項２】
湾曲面部は、その頂部が前記他端側に位置しており、岩盤浴床に横たわる入浴者の頭側で天井高が高く、脚側で天井高が低くなる曲面形状となっている請求項１記載の岩盤浴用シェル。
【請求項３】
長方形状の岩盤浴床と、請求項１又は請求項２記載の岩盤浴用シェルとを備える岩盤浴装置。
【請求項４】
岩盤浴床が、横たわる入浴者の下半身に対して上半身を斜めに起こした状態で支持する登り勾配の傾斜支持面を有する請求項３記載の岩盤浴装置。
【請求項５】
加湿空気をシェルの中に供給する加湿器を備える請求項３又は請求項４記載の岩盤浴装置。
【請求項６】
酸素濃度の高い空気をシェルの中に供給する酸素供給装置又は芳香空気をシェルの中に供給する芳香器の少なくとも何れかを備える請求項３〜請求項５何れか１項記載の岩盤浴装置。
【請求項７】
岩盤浴床の上に遮水シートを敷いて備える請求項３〜請求項６何れか１項記載の岩盤浴装置。
【請求項８】
岩盤浴床の上に敷く遮水シート及びこれを収容するホルダを岩盤浴用シェルの外部に備えており、岩盤浴用シェルが、ホルダから引き出した遮水シートを内部に取り込む導入開口を有する請求項３〜請求項６何れか１項記載の岩盤浴装置。
【発明の詳細な説明】
【技術分野】
【０００１】
本発明は岩盤浴に用いる装置に関する。
【背景技術】
【０００２】
健康や美容への意識の高まりを受けて、岩盤から放射される遠赤外線やマイナスイオンの効能により健康維持や疲労回復を図る岩盤浴が注目されている。その一例として、カプセル方式の岩盤浴装置、すなわち岩盤浴床を内部に設置した下部と、蓋となる上部とを有し、下部の長手方向における一端側で蓋（上部）を蝶番にて接続した構造の岩盤浴装置が知られている（特許文献１）。
【特許文献１】実用新案登録第３１０７６６７号公報
【発明の開示】
【発明が解決しようとする課題】
【０００３】
カプセル方式の岩盤浴装置は、部屋全体を例えば温度４０℃前後、湿度７０％以上の岩盤浴環境にする必要がなく、部屋全体に岩盤浴環境を作り出すことができない店舗や家庭であっても手軽に岩盤浴を行えるという優れた利点がある。
しかし入浴者がこれを利用する際には、大きな蓋（上部）を全体的に持ち上げて大きく斜め上方に開かなければならない。このため入浴者は、周辺の人や物とぶつからないように注意しながら大きな蓋を持ち上げなければならない。そして持ち上げた蓋にぶつからないよう注意しながら中に入り込み、徐々に腰を落としながら蝶番を回動軸として斜めに降りてくる蓋を支えつつ閉じなければならない。このことは入浴後に外へ出る時も同様であるが、特に女性やお年寄りといった入浴者にとっては大きな負担となってしまう。したがって入浴前後の出入りをより円滑に行えれば、女性やお年寄りといった入浴者にとって優しく、より一層使い勝手を高めることができる。
【０００４】
以上のような従来技術を背景になされたのが本発明である。本発明の目的は入浴前後の出入りをより円滑に行える岩盤浴装置を実現することにある。
【課題を解決するための手段】
【０００５】
上記目的を達成すべく本発明は、次の特徴の岩盤浴用シェルと岩盤浴装置にて構成される。
【０００６】
〔1〕岩盤浴用シェルは、長方形状の岩盤浴床を包囲するように取付けられ、岩盤浴床に横たわる入浴者を内部に収容するものであり、岩盤浴床の長手方向に沿って岩盤浴床の側面を覆う一対の側面部と、岩盤浴床の長手方向に沿って岩盤浴床の上方を覆うドーム状の湾曲面部とを備える。
そして湾曲面部は、その長手方向における一端から頂部側にかけて大きく開口する入浴者の出入り口と、閉状態では前記頂部から前記一端側に向かう下り傾斜のスライドにより出入り口を閉塞し、開状態では前記頂部から湾曲面部の他端側に向かう下り傾斜のスライドにより出入り口を開放するスライド扉とを備える。
〔2〕湾曲面部は、その頂部が前記他端側に位置しており、岩盤浴床に横たわる入浴者の頭側で天井高が高く、脚側で天井高が低くなる曲面形状となっている。
〔3〕岩盤浴装置は、長方形状の岩盤浴床と、前記岩盤浴用シェルとを備える。
〔4〕岩盤浴床が、横たわる入浴者の下半身に対して上半身を起こした状態で支持する登り勾配の傾斜支持面を有する。
〔5〕加湿空気をシェルの中に供給する加湿器を備える。
〔6〕酸素濃度の高い空気をシェルの中に供給する酸素供給装置又は芳香空気をシェルの中に供給する芳香器の少なくとも何れかを備える。
〔7〕岩盤浴床の上に敷く遮水シート及びこれを収容するホルダを岩盤浴用シェルの外部に備えており、岩盤浴用シェルがホルダから引き出した遮水シートを内部に取り込む導入開口を有する。
【発明の効果】
【０００７】
以上の本発明は次の作用・効果による独自の創意を有するものである。
【０００８】
〔1〕岩盤浴用シェルは、岩盤浴床の長手方向に沿って岩盤浴床の側面を覆う一対の側面部と、岩盤浴床の長手方向に沿って岩盤浴床の上方を覆うドーム状の湾曲面部と、を備えており、このうち湾曲面部はその長手方向における一端から頂部側にかけて大きく開口する入浴者の出入り口を備える。したがって入浴者は大きな出入り口を通じてシェルを出入りできるので、入浴前後の出入りを円滑に行うことができる。
またスライド扉をスライドさせて出入り口を開閉するため、蝶番を介して斜め上方に開く従来の岩盤浴装置とは異なり、周辺の人や物とぶつからないよう注意しながら出入り口を開く必要がない。
しかもスライド扉は、閉状態では前記頂部から前記一端側に向かう下り傾斜のスライドにより出入り口を閉塞するため、スライド扉の自重をかけるようにして確実に出入り口を閉塞できる。開状態においても、前記頂部から湾曲面部の他端側に向かう下り傾斜のスライドにより出入り口を開放するため、スライド扉の自重をかけて出入り口の側へ戻らないようにして確実に出入り口を開放しておくことができる。そして開閉時のスライドは、何れも下り傾斜のスライドを経て行われることから、誰でも軽い操作でスライド扉の開閉を行うことができる。
【０００９】
〔2〕岩盤浴用シェルは、湾曲面部の頂部が前記他端側に位置しており、岩盤浴床に横たわる入浴者の頭側で天井高が高く、脚側で天井高が低くなる曲面形状となっている。このため横たわる入浴者の頭上における圧迫感がなく、リラックスした状態で岩盤浴を楽しむことができる。また寝たり起きたりする際にも、上半身を楽に起こすことができるので出入りを楽に行える。
【００１０】
〔3〕岩盤浴装置は、長方形状の岩盤浴床と前記岩盤浴用シェルとを備えるので、前述した岩盤浴用シェルによる作用・効果を有する独自の岩盤浴装置を実現することができる。
【００１１】
〔4〕岩盤浴装置は、岩盤浴床が横たわる入浴者の下半身に対して上半身を斜めに起こした状態で支持する登り勾配の傾斜支持面を有するので、入浴者は背筋をピンと伸ばした状態で横になるのではなく、傾斜支持面によって上半身を斜めに起こした状態で横になれるので楽な姿勢で岩盤浴を行える。
【００１２】
〔5〕岩盤浴装置は、シェルの中に加湿空気を供給する加湿器を備えるので、入浴者の好みに応じて個別に湿度環境を調整することができる。
【００１３】
〔6〕岩盤浴装置は、シェルの中に酸素濃度の高い空気を供給する酸素供給装置又は芳香空気を供給する芳香器の少なくとも何れかを備えるので、岩盤浴による効用だけでなく、高濃度酸素によるリラクゼーション効果や、心地よい香りによるリラクゼーション効果も同時に得られることから付加価値の高い岩盤浴を実現できる。
【００１４】
〔7〕岩盤浴床の上に遮水シートを敷いて備える。このため入浴者の汗や皮脂が遮水シートに遮られて岩盤浴床に付着せず、多人数が使用する場合でも清潔な岩盤浴環境を実現できる。また、岩盤浴床が複数の岩盤をタイル状に配置したものであっても、遮水シートを敷けておけば岩盤どうしの目地の隙間に汗などの水分の浸入を防ぐことができるため、清潔な岩盤浴環境を実現できる。
【００１５】
〔8〕岩盤浴床の上に敷く遮水シート及びこれを収容するホルダを岩盤浴用シェルの外部に備えており、岩盤浴用シェルがホルダから引き出した遮水シートを内部に取り込む導入開口を有する。遮水シートによる前述の作用・効果を有することに加えて、遮水シートを収容するホルダが岩盤浴用シェルの外部にあるため、使用しない遮水シートが常時高温多湿の岩盤浴環境に曝されることなく衛生的である。
【発明を実施するための最良の形態】
【００１６】
以下、本発明の一実施形態について図面を参照しつつ説明する。なお図１、図６に示す外観斜視図では線画の複雑化を避けるため細部については省略しているところがある。
【００１７】
第１実施形態〔図１〜図４〕
［１］構成
岩盤浴装置１は図１でその概要を示すように、下側にあるベッド状の浴床部２と、上側にあるドーム状のシェル３とで構成される。浴床部２には、外枠４の内側に８つの岩盤５をタイル状に配置した長方形状の岩盤浴床６を設けてあり、ここに入浴者が横たわって岩盤浴を行う。岩盤５の裏面側には図示せぬ電熱ヒータが設置されており、これによって岩盤５が加熱されることで、その表面側へ温熱が伝達される。
【００１８】
シェル３は、大別して岩盤浴床６の長手方向に沿って側面を覆う「側面部」としての一対の側板７と、岩盤浴床６の長手方向に沿って岩盤浴床６の上方を覆うドーム状の湾曲面部８とで構成される。
【００１９】
各側板７は頂点が長手方向における一方側（後側）に偏在する異形半円形状の透明樹脂板で形成されている。各側板７は図２で示すように、２本の補強バー９の端部に固定されており、これによってシェル３が全体的に歪んだり倒れたりしないよう補強されている。１０は通気口であり、ここから外気をシェル３の内部に取り込めるようにしている。また各側板７には、図２〜図４で示すように、湾曲面部８を構成する天板１１を嵌め込んで固定する嵌合溝１２と、湾曲面部８を構成するスライド扉１３の長手方向に沿う両端部と係合する係合長溝１４とが形成されている。
【００２０】
湾曲面部８は前述の天板１１とスライド扉１３とで構成される。天板１１は透明な樹脂板で形成されており、湾曲面部８の長手方向における後側端部から頂部１５との間を常時閉塞するように、側板７の嵌合溝１２に取付けて固定されている。この天板１１によって閉塞されていない部分、すなわちスライド扉１３によって開閉される部分が、入浴者の出入り口１６になる。天板１１における頂部１５側の前側端部には当接棒１７が取付けられている。スライド扉１３は「折戸」のようになっている。すなわち長方形状の樹脂板１３ａの長手側面どうしを柔らかい可撓性の連結材１３ｂにて繋げたもので、この連結材１３ｂでの折れ曲がりによって湾曲形状の係合長溝１４に沿って円滑にスライドできるようにしている。スライド扉１３の前側端部には取っ手１８が取付けてあり、ここを掴んでスライド扉１３を開閉させるようにする。なお、以上のような構成のシェル３は固定金具１９を介して浴床部２の外枠４に固定されている。
【００２１】
［２］使用方法
岩盤浴装置１を使用するには、先ず図２で示すようにスライド扉１３をスライドさせて出入り口１６を開放する。このときスライド扉１３は、ドーム状の湾曲面部８における下り勾配の曲面形状に沿って奥側（天板１１の側）へスライドし、スライド扉１３の後側端部１３ｃが湾曲面部８の頂部１５を超えて下り勾配に差し掛かると、次第にスライド扉１３の自重が作用するので、軽いスライド操作で開くことができる。そしてスライド扉１３の後側端部１３ｃが係合長溝１４の末端部１４ａと当接すると、スライドが停止して出入り口１６を開く。こうしてスライド扉１３は、その自重をかけた安定した状態で出入り口１６を開放させることができる。
【００２２】
次に、出入り口１６から入浴者がシェル３の中に入り込み、図４で示すようにスライド扉１３をスライドさせて出入り口１６を閉塞する。このときスライド扉１３は、ドーム状の湾曲面部８における下り勾配の曲面形状に沿って手前側（出入り口１６の側）へスライドし、その長手中心が湾曲面部８の頂部１５を超えて下り勾配に差し掛かると、自重が作用するようになるので、軽いスライド操作で閉じることができる。そしてスライド扉１３の前側端部１３ｄが浴床部２に接触すると、スライドが停止して出入り口１６を閉じる。こうしてスライド扉１３は、その自重をかけた安定した状態で出入り口１６を確実に閉塞することができる。この後は閉塞したシェル３の内部で入浴者が岩盤浴を行う。
【００２３】
［３］作用・効果
〔1〕シェル３は、岩盤浴床６の長手方向に沿って岩盤浴床６の側面を覆う一対の側板７と、岩盤浴床６の長手方向に沿って上方を覆うドーム状の湾曲面部８とを備えており、このうち湾曲面部８には、その長手方向における一端から頂部１５側にかけて大きく開口する出入り口１６を備える。したがって入浴者は大きな出入り口１６を通じてシェル３を出入りできるので、入浴前後の出入りを円滑に行うことができる。
〔2〕出入り口１６を開閉するスライド扉１３は、湾曲面部８の曲面形状（係合長溝１４）に沿ってスライドする。このため蝶番を介して斜め上方に開く従来の岩盤浴装置とは異なり、周辺の人や物とぶつからないよう注意しながら出入り口１６を開く必要がない。
〔3〕スライド扉１３は、閉状態では頂部１５から出入り口１６側に向かう係合長溝１４の下り勾配に沿ってスライドして出入り口１６を閉塞する。このためスライド扉１３の自重をかけるようにして確実に出入り口１６を閉塞できる。他方、開状態では湾曲面部８の頂部１５を跨いで他端側に向かう係合長溝１４の下り勾配に沿ってスライドし、係合長溝１４の末端部１４ａにもたれて停止する。このためスライド扉１３の自重をかけて出入り口１６側へ戻らないようにして確実に出入り口１６を開放しておくことができる。そして開閉時のスライドは、そのような何れも下り勾配の傾斜スライドを経て行われることから、誰でも軽い操作でスライド扉１３を開閉することができる。
〔4〕シェル３は、湾曲面部８の頂部１５が湾曲面部８の他端側（後側）、即ち岩盤浴床６に横たわる入浴者の頭側に位置しており、岩盤浴床６に横たわる入浴者の頭側で天井高が高く、脚側で天井高が低くなる曲面形状となっている。このため横たわる入浴者の頭上における圧迫感がなく、リラックスした状態で岩盤浴を楽しむことができる。また寝たり起きたりする際にも、上半身を楽に起こすことができるので出入りを楽に行える。
〔5〕シェル３は、側板７、天板１１が透明な樹脂板であり、入浴者が中から外を見ることができることから、スライド扉１３を閉じた状態であっても閉塞感がなく、心理的なストレス無く岩盤浴を楽しむことができる。また、スライド扉１３は本実施形態では透明ではなく有色である。このため真っ正面から入浴している姿を他人に見られることが無いので、リラックスした状態で岩盤浴を楽しむことができる。
〔6〕岩盤浴装置１は、長方形状の岩盤浴床６と以上のような作用・効果を奏するシェル３を備えるので、前述したシェル３による作用・効果を有する独自の岩盤浴装置１を実現することができる。
【００２４】
第２実施形態〔図５〕
［１］構成及び使用方法
第２実施形態は、第１実施形態の岩盤浴装置１に入浴者が寝たままでスライド扉１３を開閉するための操作部材を備える例である。残余の構成及び作用・効果については第１実施形態と同様であるため重複説明を省略する。その操作部材は図５で示すように操作紐２０及びガイド環２１で構成される。操作紐２０の一端はスライド扉１３の前側端部１３ｄに固定されており、他端にはつまみが取付けられている。ガイド環２１は側板７の内面に固定されており、その内側には操作紐２０が挿通される。
【００２５】
［２］作用・効果
〔1〕本実施形態では、シェル３に入り込んで横たわった入浴者が操作紐２０を頭の方へ引っ張るだけで、スライド扉１３をスライドさせて出入り口１６を開閉することができる。したがって入浴者が横たわっていても出入り口１６を容易に開閉することができる利点がある。
なお、第２実施形態の操作部材（操作紐２０及びガイド環２１）は第３以降の実施形態に適用してもよい。
【００２６】
第３実施形態〔図６〕
［１］構成及び使用方法
第３実施形態は、第１実施形態の岩盤浴装置１に、シェル３の中に加湿空気を供給する加湿器２２を備える例である。残余の構成及び作用・効果については第１実施形態と同様であるため重複説明を省略する。加湿器２２は本体２２ａとパイプ２２ｂとで構成されており、パイプ２２ｂは先端が側板７に設けた孔に差し込まれている。このように加湿器２２によってシェル３の中に空気が送られるため、本実施形態の側板７には通気口１０が設けられていない。
【００２７】
［２］作用・効果
〔1〕本実施形態では、入浴者の好みに応じて岩盤浴装置１の内部の湿度環境を個別に調節することができるという利点がある。また加湿器２２をシェル３の外部に備えるため、加湿器２２に入浴者の汗や油が付着するといった衛生上の不都合を防ぐことができる。
なお、以上の加湿器２２は第２実施形態に適用してもよい。
【００２８】
第４実施形態〔図７〜図９〕
［１］構成及び使用方法
第４実施形態は第３実施形態の変形例であり、以下に説明する点を除き、他の構成及び作用・効果は第３実施形態と同様であるため重複説明を省略する。第４実施形態は、第３実施形態の岩盤浴装置１に遮水シート２３を備える例である。このため本実施形態の外枠４には、多数枚の遮水シート２３をロール巻きした状態で収容するホルダ２４が取付けられている。遮水シート２３は本実施形態では透明な樹脂シートであり、１回の岩盤浴で使用する１枚当たりの大きさは、幅が岩盤浴床６の幅よりも若干広く、また長さが岩盤浴床６を長手方向で覆うことができる長さとなっており、さらに厚みは例えば０．３ｍｍ程度とされている。本実施形態ではこのような多数枚の遮水シート２３が長手方向でミシン目を介して連続してロール巻きされており、岩盤浴１回ごとにホルダ２４から１枚分の遮水シート２３を引き出して使用する。
このような遮水シート２３をホルダ２４から引き出してシェル３の中に導入できるようにするために、本実施形態のシェル３には導入開口２５が設けられている。前述の実施形態では、天板１１の後側端部が隙間無く岩盤浴床６と対向するようにする例を示したが、本実施形態では天板１１の後側端部と岩盤浴床６との間に隙間ｄ、つまり導入開口２５が形成されるようにシェル３の内部にＬ字状に折り返されている。この折り返しは実際には嵌合溝１２がそのように形成されていることで、そこに嵌め込んだ天板１１が折り返されることになる。
遮水シート２３をホルダ２４から引き出し、導入開口２５を通じてシェル３の中に引き込んだら、岩盤浴床６を覆うように敷く。その上にバスタオルなどを敷いて岩盤浴を行い、入浴を終えたら、使用済みの遮水シート２３をミシン目で切断して廃棄する。次に岩盤浴を行うときには、新たに１回分の遮水シート２３をホルダ２４から引き出して岩盤浴床６の上に敷くようにする。
【００２９】
［２］作用・効果
〔1〕本実施形態では岩盤浴床６の上に遮水シート２３を敷くことができる。このため入浴者の汗や皮脂が遮水シート２３で遮られて岩盤浴床６に付着せず、多人数が使用する場合でも清潔な岩盤浴環境を実現できる。
〔2〕岩盤浴床６は岩盤５をタイル状に配置したものであるが、遮水シート２３を敷けば岩盤５どうしの目地の隙間に汗などの水分の浸入を防ぐことができるため、清潔な岩盤浴環境を実現できる。
〔3〕遮水シート２３及びこれを収容するホルダ２４をシェル３の外部に備えており、シェル３にホルダ２４から引き出した遮水シート２３を内部に取り込む導入開口２５を有する。このため未使用の遮水シート２３やホルダ２４が常時高温多湿の岩盤浴環境に曝されることなく衛生的である。
【００３０】
第５実施形態〔図１０〕
［１］構成及び使用方法
第５実施形態は、第４実施形態の岩盤浴装置１の岩盤浴床６を変形した例である。残余の構成及び作用・効果については第４実施形態等と同様であるため重複説明を省略する。この実施形態の岩盤浴床６は、長手方向に沿ってフラットではなく、入浴者の下半身を受ける水平支持面２６と、上半身を斜めに起こした状態で受ける登り勾配の傾斜支持面２７を有するものとなっている。
【００３１】
［２］作用・効果
〔1〕本実施形態では、入浴者が背筋をピンと伸ばした状態で横たわるのではなく、傾斜支持面２７によって上半身を斜めに起こした状態で横たわることができるようになり楽な姿勢で岩盤浴を行うことができる。
【００３２】
実施形態の細部変形例〔図１１〕
以上の各実施形態は様々な変形例にて実施できるので、その一例を説明する。
【００３３】
各実施形態ではシェル３をベッド型の浴床部２に設ける例を説明したが、浴床部２は必ずしもベッド型である必要はない。例えば既存の岩盤浴サロンにあるような部屋（浴室）の床面と一体となっている床型の岩盤浴床の上にシェル３を設置してもよい。
【００３４】
岩盤浴装置１に加湿器２０を備える例を示したが、これに加えてシェル３の中に酸素濃度の高い空気を供給する酸素供給装置又は芳香空気を供給する芳香器の少なくとも何れかを備えるものとすることができる。岩盤浴による効用だけでなく、高濃度酸素によるリラクゼーション効果や、心地よい香りによるリラクゼーション効果も同時に得られることから付加価値の高い岩盤浴を実現できる。
【００３５】
シェル３の全体形状については例えば図１１で示すような形状のものとすることができる。分図（Ａ）は長くて平坦な頂部１５を有し、隅丸長方箱形のシェルであり、分図（Ｂ）はシェルの長手方向における中間部分に頂部１５がある山形のシェルである。これらは何れも前述の各実施形態と同様に天板１１とスライド扉１３とを備えるものとして構成することができる。
【００３６】
第４実施形態ではロール巻きの遮水シート２３とそれを保持するホルダ２４を例示したが、ホルダ２４を使用せずに１枚ごとに分かれている遮水シートをその都度敷くようにしてもよい。
【図面の簡単な説明】
【００３７】
【図１】第１実施形態の岩盤浴装置の概略を示す外観斜視図。
【図２】スライド扉を開いた図１の岩盤浴装置の側面図。
【図３】図１のSA-SA線断面図。
【図４】スライド扉を閉じた図１の岩盤浴装置の側面図。
【図５】第２実施形態の岩盤浴装置を示す図２相当の側面図。
【図６】第３実施形態の岩盤浴装置の概略を示す外観斜視図。
【図７】第４実施形態の岩盤浴装置を示す側面図。
【図８】図７の岩盤浴装置の要部拡大図。
【図９】遮水シートを敷いた第４実施形態の岩盤浴装置を示す側面図。
【図１０】第５実施形態の岩盤浴装置を示す側面図。
【図１１】岩盤浴用シェルの他の形状の実施形態を示す側面図。
【符号の説明】
【００３８】
１    岩盤浴装置
２    浴床部
３    シェル
４    外枠
５    岩盤
６    岩盤浴床
７    側板（側面部）
８    湾曲面部
９    補強バー
１０    通気口
１１    天板（湾曲面部）
１２    嵌合溝
１３    スライド扉（湾曲面部）
１３ａ  樹脂板
１３ｂ  連結材
１３ｃ  後側端部
１３ｄ  前側端部
１４    係合長溝
１４ａ  末端部
１５    頂部
１６    出入り口
１７    当接棒
１８    取っ手
１９    固定金具
２０    操作紐
２１    ガイド環
２２    加湿器
２２ａ  本体
２２ｂ  パイプ
２３    遮水シート
２４    ホルダ
２５    導入開口
２６    水平支持面
２７    傾斜支持面
【図１】
2009000140.tif 000003
【図２】
2009000140.tif 000004
【図３】
2009000140.tif 000005
【図４】
2009000140.tif 000006
【図５】
2009000140.tif 000007
【図６】
2009000140.tif 000008
【図７】
2009000140.tif 000009
【図８】
2009000140.tif 000010
【図９】
2009000140.tif 000011
【図１０】
2009000140.tif 000012
【図１１】
2009000140.tif 000013